【事件の表示】
　特願２０１６−１４３１１８「通信装置及び通信経路切替方法」拒絶査定不服審判事件〔平成３０年　１月２５日出願公開、特開２０１８−　１４６２１、請求項の数（１４）〕について、次のとおり審決する。
【結　論】
　原査定を取り消す。
　本願の発明は、特許すべきものとする。
【理　由】
第１　手続の経緯
　本願は、平成２８年７月２１日の出願であって、その手続の経緯は以下のとおりである。
　令和元年１０月１７日付け：拒絶理由通知
　令和元年１２月２６日　　：意見書、手続補正書の提出
　令和２年　４月　３日付け：拒絶査定（原査定）
　令和２年　７月　６日　　：審判請求書、手続補正書の提出
第２　原査定の概要
　原査定（令和２年４月３日付け拒絶査定）の概要は次のとおりである。
　本願請求項１ないし５及び８ないし１４に係る発明は、以下の引用文献１ないし３に記載された発明に基いて、また、本願請求項６及び７に係る発明は、以下の引用文献１ないし４に記載された発明に基いて、その発明の属する技術の分野における通常の知識を有する者（以下、「当業者」という。）が容易に発明をすることができたものであるから、特許法第２９条第２項の規定により特許を受けることができない。
［引用文献等一覧］
１　特開２００７−０６７６０１号公報
２　特開昭６２−００５７５９号公報
３　特開２００３−２４４１７９号公報
４　特開２００７−３６９２６号公報
第３　本願発明
　本願請求項１ないし１４に係る発明（以下、それぞれ「本願発明１」ないし「本願発明１４」という。）は、令和２年７月６日に提出された手続補正書に係る手続補正（以下、「本件補正」という。）により補正された特許請求の範囲の請求項１ないし１４に記載された事項により特定される発明であり、このうち、本願発明１は、以下のとおりの発明である。
「　通信信号を出力する現用系インタフェース部と、
　予備系インタフェース部と、
　前記現用系インタフェース部と前記予備系インタフェース部との間で前記通信信号の通信経路の切り替えを制御するための切替制御信号を送信する制御部と
　を備え、
　前記現用系インタフェース部は、
　第１のメモリと、
　前記制御部からの前記切替制御信号に従ってデータ転送の指示を出す第１の中央処理装置と、
　前記第１の中央処理装置とは異なる少なくとも１つのハードウェアで構成された第１の通信制御部と
　を有し、
　前記第１の通信制御部は、
　ダイレクトメモリアクセス方式によってデータの転送を行う第１の制御回路と、
　前記第１の中央処理装置とは異なるハードウェアで構成されたフレーム送信部と
　を有し、
　前記通信経路の切り替えのとき、前記第１の制御回路は、前記第１の中央処理装置からの前記指示に従って前記第１のメモリに記憶されたデータを読み出し、前記読み出した前記データを前記フレーム送信部に転送し、前記フレーム送信部は、前記第１の制御回路から入力された前記データを、前記制御部を経由せずに前記予備系インタフェース部に向けて転送する
　ことを特徴とする通信装置。」
　なお、本願発明２ないし１３は、本願発明１を減縮したものであり、本願発明１４は、本願発明１を方法の発明として特定したものである。
第４　引用文献、引用発明等
１　引用文献１について
（１）引用文献１記載事項
　原査定の拒絶の理由に引用された引用文献１（特開２００７−０６７６０１号公報）には、図面とともに次の事項が記載されている。なお、下線は、強調のために当審が付与した。（以降の記載においても同様。）
「【００１１】
　図１は、本発明の一実施例の概略構成ブロック図を示す。
センター局
現用の光終端装置
ＯＬＴ
１０ａと、予備の光終端装置（ＯＬＴ）１０ｂと
制御装置３０
Ｌ３
スイッチ４０
「【００１３】
　
現用ＯＬＴ１０ａと予備ＯＬＴ１０ｂは、同じ構成と機能からなる
現用ＯＬＴ１０ａの構成要素には、符号にａを付加し、予備ＯＬＴ１０ｂの構成要素には符号にｂを付加する
「【００１８】
　
ＣＰＵ１６ａは、配下のＯＮＵ６８−１〜６９−ｎを管理するのに必要な情報、及び、種々の設定情報をメモリ２６ａに記憶する
「【００２１】
　
制御装置３０は、現用ＯＬＴ１０ａから予備ＯＬＴ１０ｂへの切替えを制御するＣＰＵ３２と、切替えに際して現用ＯＬＴ１０ａから予備ＯＬＴ１０ｂに転送される設定情報及び予備情報を一時記憶するメモリ３４を具備する
「【００２９】
　図２乃至図４を参照して、本実施例における
現用ＯＬＴ１０ａから予備ＯＬＴ１０ｂへの切替え動作
【００３０】
　
制御装置３０は、予備ＯＬＬＴ１０ｂを受動動作するスタンバイモードで起動し、上位ネットワークから現用ＯＬＴ１０ａに供給する下りデータを、予備ＯＬＴ１０ｂにもミラーリングするようにＬ３スイッチ４０に指示し、現用ＯＬＴ１０ａに切替え処理開始を指示する
…（中略）…
【００３４】
　制御装置３０は、現用ＯＬＴ１０ａの下りバッファ１４ａの使用サイズよりも、予備ＯＬＴ１０ｂの下りバッファ１４ｂのサイズが一定マージン以上大きくなるように、下りバッファ１４ａの使用サイズを縮小するように現用ＯＬＴ１０ａに指示する（Ｓ２）。
現用ＯＬＴ１０ａは、切替え処理開始の指示を受けると
切替えモードに入り、
…（中略）…
【００３６】
　下りバッファサイズの調整の後、
現用ＯＬＴ１０ａは、管理情報と設定情報を制御装置３０に送信し
【００３７】
　
制御装置３０は、現用ＯＬＴ１０ａからの管理情報と設定情報を予備ＯＬＴ１０ｂに転送する
予備ＯＬＴ１０ｂは、制御装置３０からの管理情報と設定情報を受信し、メモリ２６ｂに格納し
（当審注：【００３０】の「予備ＯＬＬＴ１０ｂ」は「予備ＯＬＴ１０ｂ」の誤記と認められる。）
「【図１】
」   
（２）引用発明
　引用文献１（特に、【００１１】）より、「現用の光終端装置（ＯＬＴ）１０ａ」、「予備の光終端装置（ＯＬＴ）１０ｂ」及び「制御装置３０」により「センター局」を構成しているといえる。
　よって、上記引用文献１には次の発明（以下、「引用発明」という。）が記載されていると認められる。
「　現用の光終端装置（ＯＬＴ）１０ａ、予備の光終端装置（ＯＬＴ）１０ｂ及び制御装置３０から構成されるセンター局であって、
　現用ＯＬＴ１０ａと予備ＯＬＴ１０ｂは、同じ構成と機能からなり、現用ＯＬＴ１０ａの構成要素には、符号にａを付加し、予備ＯＬＴ１０ｂの構成要素には符号にｂを付加し、
　ＣＰＵ１６ａは、配下のＯＮＵ６８−１〜６９−ｎを管理するのに必要な情報、及び、種々の設定情報をメモリ２６ａに記憶し、
　制御装置３０は、現用ＯＬＴ１０ａから予備ＯＬＴ１０ｂへの切替えを制御するＣＰＵ３２と、切替えに際して現用ＯＬＴ１０ａから予備ＯＬＴ１０ｂに転送される設定情報及び予備情報を一時記憶するメモリ３４を具備し、
　現用ＯＬＴ１０ａから予備ＯＬＴ１０ｂへの切替え動作において、
　制御装置３０は、予備ＯＬＴ１０ｂを受動動作するスタンバイモードで起動し、上位ネットワークから現用ＯＬＴ１０ａに供給する下りデータを、予備ＯＬＴ１０ｂにもミラーリングするようにＬ３スイッチ４０に指示し、現用ＯＬＴ１０ａに切替え処理開始を指示し、
　現用ＯＬＴ１０ａは、切替え処理開始の指示を受けると、切替えモードに入り、
　現用ＯＬＴ１０ａは、管理情報と設定情報を制御装置３０に送信し、
　制御装置３０は、現用ＯＬＴ１０ａからの管理情報と設定情報を予備ＯＬＴ１０ｂに転送し、
　予備ＯＬＴ１０ｂは、制御装置３０からの管理情報と設定情報を受信し、メモリ２６ｂに格納する、
　センター局。」
２　引用文献２について
　原査定の拒絶の理由に引用された引用文献２（特開昭６２−００５７５９号公報）には、図面とともに次の事項が記載されている。
（第１ページ左下欄第１５−２０行）
「〔発明の利用分野〕
　本発明は、
２重化系情報処理システムにおける情報救済方式
（第２ページ右上欄第４行−左下欄第１１行）
「〔発明の実施例〕
　以下、本発明を２重化系電話交換処理システムに例を採り第１図から第４図により説明する。
　先ずその一例でのシステム構成について説明すれば、第１図はその概略を示したものである。
このシステムは現用系１と予備系２からなる
現用系１においてはプロセッサ１３、主メモリ１４、通話路制御装置１８および通信制御装置１５はバス１６を介し接続されたものとなっている
これと同様に予備系２においてもプロセッサ２３、主メモリ２４、通信路制御装置２８および通信制御装置２５はバス２６を介し接続されるようになっている
通信制御装置１５、２５は各々の系の主メモリ１４，２４をＤＭＡ（Direct Memory Access）にてアクセスすることが可能とされ、現用系１と予備系２とを接続する通信制御バス３を介し各々相手系の主メモリ２４、１４に格納されている内容をアクセスして、自系内のメモリ１４、２４に転送記憶させるための機能を備え
主メモリ１４、２４には
呼情報格納エリア１７、２７が確保され
（第２ページ右下欄第９行−第３ページ左上欄第５行）
「　さて、
系の切替は、現用系１のプロセッサ１３が通信制御装置１５、２５を介し予備系２のプロセッサ２３に系切替信号を発することによって行なわれ
この切替信号は現用系１のプロセッサ１３等に障害が発生した場合に自動的に発せられる
予傭系２ではこの切替信号が割込みとしてプロセッサ２３に入力され、プロセッサ２３はこれにもとづき主メモリ２４内の再開処理プログラムを起動する
起動された再開処理プログラムは先ず初めに通信制御装置２５,１５を介し旧現用系１の主メモリ１４に格納されている最新の呼情報を読み出しこれを自系（新現用系）２の主メモリ２４の呼情報格納エリア２７に格納するための一連の処理を行なった後、この最新の呼情報をもとにオンライン動作に必要な各種装置および主メモリ２４上の各種データの初期設定を行なう
（第３ページ右上欄第１８行−左下欄第４行）
「
通信制御装置１５ではプロセッサ１３とは独立に主メモリ１４の呼情報格納エリア１７に格納されている呼情報をＤＭＡにて読み出したうえバス１６、通信制御バス３を介し通信制御装置２５へ転送する一方、通信制御装置２５ではバス２６を介しその呼情報を主メモリ２４の呼情報格納エリア２７へ格納する
「第１図
」
　以上より、引用文献２には、次の技術的事項（以下、「引用文献２記載事項」という。）が記載されていると認められる。
「　２重化系情報処理システムにおける情報救済方式において、
　このシステムは現用系１と予備系２からなり、
　現用系１においてはプロセッサ１３、主メモリ１４、通話路制御装置１８および通信制御装置１５はバス１６を介し接続されたものとなっており、
　これと同様に予備系２においてもプロセッサ２３、主メモリ２４、通信路制御装置２８および通信制御装置２５はバス２６を介し接続されるようになっており、
　通信制御装置１５、２５は各々の系の主メモリ１４、２４をＤＭＡ（Direct Memory Access）にてアクセスすることが可能とされ、現用系１と予備系２とを接続する通信制御バス３を介し各々相手系の主メモリ２４、１４に格納されている内容をアクセスして、自系内のメモリ１４、２４に転送記憶させるための機能を備え、
　主メモリ１４、２４には呼情報格納エリア１７、２７が確保され、
　系の切替は、現用系１のプロセッサ１３が通信制御装置１５、２５を介し予備系２のプロセッサ２３に系切替信号を発することによって行なわれ、この切替信号は現用系１のプロセッサ１３等に障害が発生した場合に自動的に発せられ、
　予傭系２ではこの切替信号が割込みとしてプロセッサ２３に入力され、プロセッサ２３はこれにもとづき主メモリ２４内の再開処理プログラムを起動し、起動された再開処理プログラムは先ず初めに通信制御装置２５,１５を介し旧現用系１の主メモリ１４に格納されている最新の呼情報を読み出しこれを自系（新現用系）２の主メモリ２４の呼情報格納エリア２７に格納するための一連の処理を行なった後、この最新の呼情報をもとにオンライン動作に必要な各種装置および主メモリ２４上の各種データの初期設定を行い、
　通信制御装置１５ではプロセッサ１３とは独立に主メモリ１４の呼情報格納エリア１７に格納されている呼情報をＤＭＡにて読み出したうえバス１６、通信制御バス３を介し通信制御装置２５へ転送する一方、通信制御装置２５ではバス２６を介しその呼情報を主メモリ２４の呼情報格納エリア２７へ格納すること。」
３　引用文献３について
　原査定の拒絶の理由に引用された引用文献３（特開２００３−２４４１７９号公報）には、図面とともに次の事項が記載されている。
「【０００１】
【発明の属する技術分野】本発明は、光多分岐（ＰＯＮ：Passive Optical Network）通信システム、加入者装置および局内装置に関し、特に
ＰＯＮ区間が２重化された光多分岐通信システム
「【００５２】
【発明が解決しようとする課題】従来の加入者装置情報管理方法では、局内装置側信号終端部１０４、１０５が
加入者装置側信号終端部
を一意に識別するシリアル番号
「【００８３】
局内装置１では、
バイナリーツリーメカニズム
現用系のシリアル番号制御部２６が自動取得したシリアル番号は、現用系の加入者装置情報保持部３０が保持し、予備系の加入者装置情報保持部３１へも転送することにより自動取得したシリアル番号をお互いに共有する
　以上より、引用文献３には、次の技術的事項が記載されていると認められる。
「　ＰＯＮ区間が２重化された光多分岐通信システムにおいて、
　局内装置１では、バイナリーツリーメカニズムにおいて、現用系のシリアル番号制御部２６が自動取得したシリアル番号（加入者装置側信号終端部を一意に識別するもの）は、現用系の加入者装置情報保持部３０が保持し、予備系の加入者装置情報保持部３１へも転送することにより自動取得したシリアル番号をお互いに共有すること。」
４　引用文献４について
　原査定の拒絶の理由に引用された引用文献４（特開２００７−３６９２６号公報）には、図面とともに次の事項が記載されている。
「【０００１】
　本発明は、
光伝送システムの冗長構成を有する光終端システム
「【００２４】
　図２は、制御装置１２のＯＬＴ切り替えのフローチャートを示す。例えば、
ＯＬＴ１０ａで障害が発生したとする
制御装置１２は、ＯＬＴ１０ａからの警告、又は、光パワーモニタ２６からの通知に従い、ＯＬＴ１０ａの障害発生を検出すると
ＯＬＴ１０ａにＲＡＭ５４に保存されている管理情報の転送を要求する
制御装置１２は、ＯＬＴ１０ａからの管理情報を記憶装置１３に格納する
　以上より、引用文献４には、次の技術的事項が記載されていると認められる。
「 光伝送システムの冗長構成を有する光終端システムにおいて、
　ＯＬＴ１０ａで障害が発生したとすると、制御装置１２は、ＯＬＴ１０ａからの警告、又は、光パワーモニタ２６からの通知に従い、ＯＬＴ１０ａの障害発生を検出し、ＯＬＴ１０ａにＲＡＭ５４に保存されている管理情報の転送を要求し、制御装置１２は、ＯＬＴ１０ａからの管理情報を記憶装置１３に格納すること。」
第５　対比・判断
１　本願発明１について
（１）対比
　本願発明１と引用発明とを対比する。
ア　引用発明の「ＯＬＴ」（光終端装置）である「現用ＯＬＴ１０ａ」及び「予備ＯＬＴ１０ｂ」は、上位ネットワークと下位ネットワークとの間で通信信号を出力ないし受信する通信インタフェース部として機能するものであることはこの技術分野における技術常識である。
　また、引用発明の「現用ＯＬＴ１０ａ」は「現用系」として、また、引用発明の「予備ＯＬＴ１０ｂ」は、「予備系」として機能することは自明である。
　よって、引用発明の「現用ＯＬＴ１０ａ」及び「予備ＯＬＴ１０ｂ」はそれぞれ、本願発明１の「通信信号を出力する現用系インタフェース部」及び「予備系インタフェース部」に相当する。
イ　引用発明は、「現用ＯＬＴ１０ａから予備ＯＬＴ１０ｂへの切替え動作」において、「制御装置３０」は、「予備ＯＬＬＴ１０ｂを受動動作するスタンバイモードで起動し、上位ネットワークから現用ＯＬＴ１０ａに供給する下りデータを、予備ＯＬＴ１０ｂにもミラーリングするようにＬ３スイッチ４０に指示し、現用ＯＬＴ１０ａに切替え処理開始を指示」するものである。
　ここで、引用発明の「現用ＯＬＴ１０ａから予備ＯＬＴ１０ｂへの切替え」は、本願発明１の「前記現用系インタフェース部と前記予備系インタフェース部との間で前記通信信号の通信経路の切り替え」に相当する。
　よって、引用発明において、「制御装置３０」が「現用ＯＬＴ１０ａ」に「切替え処理開始」を指示するために「現用ＯＬＴ１０ａ」に送信する制御信号は、本願発明１の「切替制御信号」に相当する。
　したがって、引用発明の「制御装置３０」は、本願発明１の「前記現用系インタフェース部と前記予備系インタフェース部との間で前記通信信号の通信経路の切り替えを制御するための切替制御信号を送信する制御部」に相当する。
ウ　引用発明において、「現用ＯＬＴ１０ａ」が備える「メモリ２６ａ」は、本願発明１の「第１のメモリ」に相当する。
エ　引用発明において、「現用ＯＬＴ１０ａ」が備える「ＣＰＵ１６ａ」は、本願発明１の「第１の中央処理装置」に相当する。
　また、引用発明は、
「現用ＯＬＴ１０ａは、切替え処理開始の指示を受けると、切替えモードに入り、
　現用ＯＬＴ１０ａは、管理情報と設定情報を制御装置３０に送信し、」
との構成を備え、また、ＣＰＵがこれを含むモジュール全体の制御をすることは技術常識であることからすれば、「現用ＯＬＴ１０ａ」の「ＣＰＵ１６ａ」は、「切替え処理開始の指示」に従って、「管理情報と設定情報を制御装置３０に送信」すなわち「データ転送」の指示を出すものといえる。
　よって、引用発明の「ＣＰＵ１６ａ」は、本願発明１の「前記制御部からの前記切替制御信号に従ってデータ転送の指示を出す第１の中央処理装置」に相当する。
オ　前記ウ及びエを参酌すれば、引用発明の「現用ＯＬＴ１０ａ」と、本願発明１の
「前記現用系インタフェース部は、
　第１のメモリと、
　前記制御部からの前記切替制御信号に従ってデータ転送の指示を出す第１の中央処理装置と、
　
前記第１の中央処理装置とは異なる少なくとも１つのハードウェアで構成された第１の通信制御部と
　を有し、」
とは、
「前記現用系インタフェース部は、
　第１のメモリと、
　前記制御部からの前記切替制御信号に従ってデータ転送の指示を出す第１の中央処理装置と、
　を有し、」
との構成を備える点において共通する。
カ　引用発明は、
「　ＣＰＵ１６ａは、配下のＯＮＵ６８−１〜６９−ｎを管理するのに必要な情報、及び、種々の設定情報をメモリ２６ａに記憶し、」、
「現用ＯＬＴ１０ａから予備ＯＬＴ１０ｂへの切替え動作」において、「現用ＯＬＴ１０ａは、管理情報と設定情報を制御装置３０に送信し、」及び
「　制御装置３０は、現用ＯＬＴ１０ａからの管理情報と設定情報を予備ＯＬＴ１０ｂに転送し、」
との構成を備えることからすれば、「現用ＯＬＴ１０ａから予備ＯＬＴ１０ｂへの切替え動作」のときに「ＣＰＵ１６ａ」は、「メモリ２６ａ」に記憶された管理情報と設定情報といったデータを読み出して、「制御装置３０」を介して「予備ＯＬＴ１０ｂ」に向けて転送するものといえる。
　よって、前記アないしエを参酌すれば、引用発明と本願発明１の「前記通信経路の切り替えのとき、
前記第１の制御回路は、前記第１の中央処理装置からの前記指示に従って
前記読み出した前記データを前記フレーム送信部に転送し、前記フレーム送信部は、前記第１の制御回路から入力された
前記制御部を経由せずに
キ　引用発明の「センター局」は、後述する相違点を除くと本願発明１の「通信装置」に相当する。
（２）一致点、相違点
　前記（１）より、本願発明１と引用発明は、次の点において一致ないし相違するといえる。
［一致点］
「　通信信号を出力する現用系インタフェース部と、
　予備系インタフェース部と、
　前記現用系インタフェース部と前記予備系インタフェース部との間で前記通信信号の通信経路の切り替えを制御するための切替制御信号を送信する制御部と
　を備え、
　前記現用系インタフェース部は、
　第１のメモリと、
　前記制御部からの前記切替制御信号に従ってデータ転送の指示を出す第１の中央処理装置と、
　を有し、
　前記通信経路の切り替えのとき、前記第１のメモリに記憶されたデータを読み出し、前記データを、前記予備系インタフェース部に向けて転送する
　ことを特徴とする通信装置。」
［相違点］
＜相違点１＞
　本願発明１は、「前記現用系インタフェース部」が「
ダイレクトメモリアクセス方式
フレーム送信部
＜相違点２＞
　「通信経路の切り替えのとき」の動作として、本願発明１は、「前記第１の制御回路」が、「前記第１の中央処理装置からの前記指示に従って前記第１のメモリに記憶されたデータを読み出し、前記読み出した前記データを前記フレーム送信部に転送し」、「記フレーム送信部」が、「前記第１の制御回路から入力された前記データを、
前記制御部を経由せずに
「制御装置３０」を介して
（３）相違点についての判断
　上記相違点１と相違点２は連関するため、まとめて判断する。
　引用文献２記載事項にあるように、２重系システムにおいて、現用系から予備系にデータを転送するにあたり、予備系のプロセッサとは独立した
予備系の通信制御装置が
　しかしながら、２重系システムにおいて、
現用系が
「フレーム送信部」を用いて
　したがって、本願発明１は、当業者であっても引用文献１ないし４に記載された発明に基いて容易に発明をすることができたものであるとはいえない。
２　本願発明２ないし１３について
　本願発明２ないし１３も、本願発明１と同一の構成を備えるものであるから、本願発明１と同じ理由により、当業者であっても、引用文献１ないし４に記載された発明に基いて容易に発明をすることができたものであるとはいえない。
３　本願発明１４について
　本願発明１４は、本願発明１を方法の発明として特定したものであって、本願発明１に対応する構成を備えるものであるから、本願発明１と同様の理由により、当業者であっても、引用文献１ないし４に記載された発明に基いて容易に発明をすることができたものであるとはいえない。
第６　原査定について
　前記第５で述べたとおり、本願発明１ないし１４は、当業者が、拒絶査定において引用された引用文献１ないし４に記載された発明に基いて容易に発明をすることができたものとはいえない。
　したがって、原査定を維持することはできない。
第７　むすび
　以上のとおり、原査定の理由によっては、本願を拒絶することはできない。
　また、他に本願を拒絶すべき理由を発見しない。
　よって、結論のとおり審決する。